(57)【要約】  【課題】  ケースの大きさを問わず、簡単に開閉できるケースを提供する。  【解決手段】  蓋２と蓋受け３とを合わせることによって形成される内部空間１６に物を入れることができる開閉可能なケース１であって、蓋２および蓋受け３に、それらを合わせた際に貫通する貫通孔１０を有し、蓋２に、その貫通孔１０の内周縁に延出する延出部１３を備え、当該延出部１３を内周縁から離すことによって、蓋２を蓋受け３から開けることができるケース１としている。【選択図】  図１
2005239176.tif 000002
【特許請求の範囲】
【請求項１】
蓋と蓋受けとを合わせることによって形成される内部空間に物を入れることができる開閉可能なケースであって、
上記蓋および上記蓋受けに、それらを合わせた際に貫通する貫通孔を有し、
上記蓋に、その貫通孔の内周縁に延出する延出部を備え、
当該延出部を上記内周縁から離すことによって、上記蓋を上記蓋受けから開けることを特徴とするケース。
【請求項２】
前記延出部は、前記蓋と前記蓋受けとを閉じた状態において、前記延出部の先端が前記貫通孔の前記蓋受け側の解放底面よりも前記蓋側にくる長さであることを特徴とする請求項１記載のケース。
【請求項３】
前記延出部の先端と前記解放底面との距離を、０．８ミリから１．５ミリの範囲の距離としたことを特徴とする請求項２記載のケース。
【請求項４】
前記貫通孔に、前記延出部にひっかけて前記蓋を開けるためのひもを固定していることを特徴とする請求項１から３のいずれか１項記載のケース。
【請求項５】
前記貫通孔とは別に、前記蓋および前記蓋受けの少なくともいずれか一方に貫通孔を形成し、その別の貫通孔に、前記延出部にひっかけて前記蓋を開けるためのひもを固定していることを特徴とする請求項１から３のいずれか１項記載のケース。
【請求項６】
前記延出部と前記貫通孔の内周縁との間に、前記ひもの直径と同一若しくはそれ以上の大きな隙間を設けていることを特徴とする請求項４または５記載のケース。
【請求項７】
蓋と蓋受けとを合わせることによって形成される内部空間に物を入れることができる開閉可能なケースであって、
上記蓋から延出する蓋側半割り状延出部と、
上記蓋受けから延出する蓋受け側半割り状延出部と、
を備え、
上記蓋と上記蓋受けとを閉じた状態において、上記蓋側半割り状延出部と上記蓋受け側半割り状延出部とにより貫通孔を形成可能であって、
上記蓋側半割り状延出部に、その貫通孔の外周縁に延出する延出部を備え、
当該延出部を上記蓋受け側半割り状延出部から離すことによって、上記蓋を上記蓋受けから開けることを特徴とするケース。
【請求項８】
前記貫通孔に、前記延出部にひっかけて前記蓋を開けるためのひもを固定していることを特徴とする請求項７記載のケース。
【請求項９】
前記貫通孔とは別に、前記蓋および前記蓋受けの少なくともいずれか一方に貫通孔を形成し、その別の貫通孔に、前記延出部にひっかけて前記蓋を開けるためのひもを固定していることを特徴とする請求項７記載のケース。
【請求項１０】
前記延出部と前記蓋受け側半割り状延出部の外表面との間に、前記ひもの直径と同一若しくはそれ以上の大きな隙間を設けていることを特徴とする請求項８または９記載のケース。
【請求項１１】
前記ひもに、前記蓋を開ける際に、前記ひもを持つための支持部を設けたことを特徴とする請求項４、５、８または９記載のケース。
【請求項１２】
前記支持部は、前記ひもの両側にまたがって付着される形状を有することを特徴とする請求項１１記載のケース。
【請求項１３】
前記支持部に、指を入れる指挿入部を設けたことを特徴とする請求項１１または１２記載のケース。
【請求項１４】
前記ひもにロッドを付け、
そのロッドにの一部に、突出部を設け、
前記ひもを前記延出部にひっかけて、上記突出部と前記蓋受けとの接点を支点として上記ロッドの端部を前記蓋受け側に押し、てこの原理を利用して、前記蓋を前記蓋受けから外すように構成したことを特徴とする請求項４、５、８または９記載のケース。
【発明の詳細な説明】
【技術分野】
【０００１】
本発明は、中に物を入れることができ、開閉可能なケースに関する。
【背景技術】
【０００２】
従来から、芸能人の写真あるいは絵が入っている携帯可能なケースが知られている。このようなケースは、付帯するストラップを介して、携帯電話、バッグ等に取り付けて、携帯するのに適している（例えば、特許文献１参照）。
【０００３】
【特許文献１】特開平８−２４３００９号公報（要約書等）
【発明の開示】
【発明が解決しようとする課題】
【０００４】
しかし、上記従来のケースは、中に入っている写真あるいは絵を取り出して、別の物と入れ替えることができない。開閉式のケースも存在するが、蓋と蓋受けとのすきまに爪を入れて開けるタイプの場合には、爪および指を痛める危険性が高く、開けるのに不便である。また、蓋に大きなつまみを付けて、そのつまみを持って蓋を開ける方法も考えられるが、ケース自体が小型の場合には、つまみの容積が大きすぎ、実用に耐えない。
【０００５】
本発明は、かかる問題に鑑みてなされたものであり、ケースの大きさを問わず、簡単に開閉できるケースを提供することを目的とする。
【課題を解決するための手段】
【０００６】
上記の課題を解決するため、本発明は、蓋と蓋受けとを合わせることによって形成される内部空間に物を入れることができる開閉可能なケースであって、蓋および蓋受けに、それらを合わせた際に貫通する貫通孔を有し、蓋に、その貫通孔の内周縁に延出する延出部を備え、当該延出部を内周縁から離すことによって、蓋を蓋受けから開けるケースとしている。このため、ひも等を輪にしてを延出部に引っ掛けて、蓋を開けることができる。さらに、蓋受け側から貫通孔に指を入れて延出部を押すことによっても、蓋を開けることができる。
【０００７】
また、別の本発明は、先の発明において、延出部を、蓋と蓋受けとを閉じた状態において、延出部の先端が貫通孔の蓋受け側の解放底面よりも蓋側にくる長さとしたケースとしている。このため、貫通孔の内部に延出部の先端があるため、不用意に当該先端に接触して、蓋を開けてしまう可能性を低減できる。
【０００８】
また、別の本発明は、先の発明において、延出部の先端と解放底面との距離を、０．８ミリから１．５ミリの範囲の距離としたケースとしている。このため、特に、不用意に延出部の先端に触れて蓋を開ける可能性をより低減できる。
【０００９】
また、別の本発明は、先の発明において、貫通孔に、延出部にひっかけて蓋を開けるためのひもを固定したケースとしている。このため、別のひもを用意しなくても、備え付けのひもを延出部に引っ掛けて、蓋を開けることができる。
【００１０】
また、別の本発明は、先の発明において、貫通孔とは別に、蓋および蓋受けの少なくともいずれか一方に貫通孔を形成し、その別の貫通孔に、延出部にひっかけて蓋を開けるためのひもを固定したケースとしている。このため、延出部を備えた側の貫通孔にストラップ用のひも等を付け、それとは別の貫通孔には延出部にひっかけるためのひもを付けることができる。このため、延出部側の貫通孔を必要以上に大きくすることはない。
【００１１】
また、別の本発明は、先の発明において、延出部と貫通孔の内周縁との間に、ひもの直径と同一若しくはそれ以上の大きな隙間を設けたケースとしている。このため、ひもを延出部にひっかける操作を容易にすることができる。
【００１２】
また、本発明は、蓋と蓋受けとを合わせることによって形成される内部空間に物を入れることができる開閉可能なケースであって、蓋から延出する蓋側半割り状延出部と、蓋受けから延出する蓋受け側半割り状延出部とを備え、蓋と蓋受けとを閉じた状態において、蓋側半割り状延出部と蓋受け側半割り状延出部とにより貫通孔を形成可能であって、蓋側半割り状延出部に、その貫通孔の外周縁に延出する延出部を備え、当該延出部を蓋受け側半割り状延出部から離すことによって、蓋を蓋受けから開けるケースとしている。このため、ひもを延出部に引っ掛けて、蓋を開けることができる。さらに、延出部を押し上げることによっても、蓋を開けることができる。加えて、貫通孔を蓋および蓋受けの外側に形成できるので、蓋と蓋受けとによって形成される内部空間を広くできる。
【００１３】
また、別の本発明は、先の発明において、貫通孔に、延出部にひっかけて蓋を開けるためのひもを固定したケースとしている。このため、別のひもを用意しなくても、備え付けのひもを延出部に引っ掛けて、蓋を開けることができる。
【００１４】
また、別の本発明は、先の発明において、貫通孔とは別に、蓋および蓋受けの少なくともいずれか一方に貫通孔を形成し、その別の貫通孔に、延出部にひっかけて蓋を開けるためのひもを固定したケースとしている。このため、延出部を備えた側の貫通孔にストラップ用のひも等を付け、それとは別の貫通孔には延出部にひっかけるためのひもを付けることができる。このため、延出部側の貫通孔を必要以上に大きくすることはない。
【００１５】
また、別の本発明は、先の発明において、延出部と蓋受け側半割り状延出部の外表面との間に、ひもの直径と同一若しくはそれ以上の大きな隙間を設けたケースとしている。このため、ひもを延出部にひっかける操作を容易にすることができる。
【００１６】
また、別の本発明は、先の発明において、ひもに、蓋を開ける際に、ひもを持つための支持部を設けたケースとしている。このため、ひもを延出部に引っ掛けてから、支持部を手でつかみ、引くことによって、蓋を開けることができる。このため、蓋を開ける際に手が痛くなることなく、簡単に開けることができる。
【００１７】
また、別の本発明は、先の発明において、支持部がひもの両側にまたがって付着される形状を有するケースとしている。このため、支持部の面積が広くなるので、より簡単につかむことができる。
【００１８】
また、別の本発明は、先の発明において、支持部に、指を入れる指挿入部を設けたケースとしている。このため、指を入れた状態でひもを引いて、蓋を開けることができるので、蓋の開動作がより容易になる。
【００１９】
また、別の本発明は、先の発明において、ひもにロッドを付け、そのロッドにの一部に、突出部を設け、ひもを延出部にひっかけて、突出部と蓋受けとの接点を支点としてロッドの端部を蓋受け側に押し、てこの原理を利用して、蓋を蓋受けから外すように構成したケースとしている。このため、延出部と蓋受けとがかたく係合している場合、あるいは非力な女性あるいは子供が開動作を行う場合であっても、簡単に蓋を開けることができる。
【発明の効果】
【００２０】
本発明によれば、ケースの大きさを問わず、簡単に開閉できるケースを提供することができる。
【発明を実施するための最良の形態】
【００２１】
以下、本発明に係るケースの実施の形態について、図面を参照しながら説明する。
【００２２】
（第１の実施の形態）
図１は、本発明の第１の実施の形態にかかるケース１の概観図である。また、図２は、ケース１を側面から見た側面図である。
【００２３】
図１および図２に示すように、このケース１は、主として、略円盤形状の蓋２と、同じく略円盤形状の蓋受け３とから構成されている。蓋２の一端には、蓋後部延出部４が形成されている。一方、蓋受け３には、蓋受け後部延出部５が形成されている。蓋後部延出部４は、蓋受け後部延出部５を覆う態様にてはめ込み可能な形状を有している。蓋後部延出部４と蓋受け後部延出部５とは、両者の穴（図示省略）に挿入されるピン６に貫かれており、そのピン６のまわりに回動可能な構造を有している。このため、ケース１は、ピン６を介して開閉可能になっている。
【００２４】
また、蓋受け後部延出部５は、蓋後部延出部４よりもさらに延出する突出板７を有している。突出板７には、貫通孔８が設けられている。また、貫通孔８には、ひもの一形態である輪状のひも９が取り付けられている。この輪状のひも９は、後で詳述するように、蓋２を開ける際に使用される。
【００２５】
一方、蓋受け３の蓋受け後部延出部５と反対の側には、貫通孔の一形態であるリング１０が形成されている。リング１０には、ストラップ固定用のひも１１が取り付けられている。また、ストラップ固定用のひも１１には、ストラップ１２が取り付けられている。このため、ケース１は、ストラップ１２を介して、バッグ等に取り付けることができる。
【００２６】
また、蓋２の蓋後部延出部４と反対の側には、延出部の一形態である貫通孔内延出部１３が形成されている。貫通孔内延出部１３は、蓋２を閉じた状態において、リング１０の内周縁に延出するように形成されている。この貫通孔内延出部１３は、蓋２を蓋受け３に固定してケース１の閉状態を維持する機能を有している。ケース１を開ける際の動作については、後述する。
【００２７】
蓋２および蓋受け３は、それぞれの内部の面に、凹部１４および凹部１５を有している。ケース１を閉じると、凹部１４および凹部１５によって内部空間１６が形成される。この内部空間１６に、所望の写真、切手あるいは特定の情報をコード化した二次元コードを印刷したシートなどを挿入することができる。なお、この実施の形態では、蓋２および蓋受け３のそれぞれに凹部１４および凹部１５を備えているが、いずれか一方の凹部１４若しくは凹部１５のみから内部空間１６を形成することもできる。
【００２８】
図３は、貫通孔内延出部１３近傍の側面拡大図である。なお、図３では、リング１０の外側部分を一点鎖線で示し、リング１０より紙面裏側に存在する貫通孔内延出部１３を見やすくしている。
【００２９】
貫通孔内延出部１３の根元における裏側には、凹部１７が形成されている。また、蓋受け３には、ケース１を閉じた状態において凹部１７とはまる位置に、凸部１８が形成されている。ケース１をしっかりと閉じた状態では、凸部１８が凹部１７にはめ込まれているので、蓋受け３と蓋２とを容易に開けることはできない。
【００３０】
一方、貫通孔内延出部１３は、ケース１を閉じた状態において、蓋受け３との間に隙間３０を有する曲率で湾曲した形状を有している。この隙間２０の寸法ｔ１は、輪状のひも９をひかっけることができる大きさである。例えば、輪状のひも９のひもの直径が０．５ｍｍの場合には、隙間３０の寸法ｔ１は、０．５ｍｍ以上であるのが好ましい。ただし、隙間２０の寸法は、輪状のひも９の直径より小さくすることも可能である。輪状のひも９を変形させて隙間２０に入れたり、あるいは隙間２０に接触させただけの状態でも、貫通孔内延出部１３を蓋２の側に引くことは可能だからである。
【００３１】
蓋２を開ける場合には、輪状のひも９を貫通孔内延出部１３と蓋受け３との間に形成されている隙間２０に入れて、輪状のひも９を貫通孔内延出部９にひっかける。次に、図３に示すように、輪状のひも９を、矢印Ａの方向に引く。この結果、凹部１７と凸部１８との係合が解除されて、蓋２を開けることができる。
【００３２】
この実施の形態では、貫通孔内延出部１３の下端（先端）は、リング１０の開放底面よりも寸法ｔ２だけ高い位置にある。このため、リング１０の下面に指を置き、そのまま指で貫通孔内延出部１３を押しあげて蓋２を開けることを困難としている。したがって、不用意に蓋２を開けてしまう可能性が低くなる。この実施の形態では、寸法ｔ２を、０．８ミリ以上１．５ミリ以下の範囲の長さとしている。指のはらの弾性を考慮しても、０．８ミリ以上の寸法ｔ２を確保できれば、不用意な先端の押し上げの可能性はより低くなる。一方、１．５ミリ以上の寸法ｔ２とすると、ケース１が大型化してくる。
【００３３】
また、より好ましい寸法ｔ２は、１．０ミリ以上１．３ミリ以下の範囲の大きさである。女性あるいは子供の指の大きさを考慮しても、１．０ミリ以上の寸法ｔ２を確保できれば、不用意な先端の押し上げの可能性はより低くなる。一方、１．３ミリ以上の寸法ｔ２とすることにより、より薄型のケース１とすることができる。ただし、寸法ｔ２は、当該範囲の寸法以外であっても良い。
【００３４】
（第２の実施の形態）
図４は、本発明の第２の実施の形態にかかるケース３１の概観図である。また、図５は、ケース３１の一端を上から拡大して示す平面拡大図である。
【００３５】
このケース３１は、略正方形の板状の蓋３２と、略正方形の板状の蓋受け３３とから、主として、構成されている。蓋３２および蓋受け３３の角近傍には、図４において上下方向に貫通する貫通孔３４があけられている。貫通孔３４には、金属製の輪３５が通されている。また、貫通孔３４があけられている角と隣り合う２つの角にも、蓋３２と蓋受け３３とを貫通する貫通孔３６，３７があけられている。金属製の輪３５には、ひもの一形態である輪状のひも３９が通されている。この輪状のひも３９は、蓋３２を開ける際に使用される。
【００３６】
貫通孔３４があけられている角と対角線上にある角には、蓋３２と蓋受け３３とを貫通する略三角形の貫通孔４０があけられている。ストラップ（図示省略）は、この貫通孔４０に取り付けるのが好ましい。ただし、他の貫通孔３４，３６，３７にストラップを取り付けても良い。蓋３２の貫通孔４０側には、蓋３２と蓋受け３３とを固定する延出部の一形態である貫通孔内延出部４３が延出して形成されている。貫通孔内延出部４３は、ケース３１を閉じた状態では、貫通孔４０の一部から入り込む位置に設けられている。
【００３７】
貫通孔内延出部４３を蓋受け３３から外すと、蓋３２は、図４における点ａ、点ｂ、点ｃ、点ｄ、点ｅ、点ｆ、点ｇ、点ｈ、点ｉおよび点ｊを結ぶ線で蓋受け３３から離れて開閉する。蓋受け３３の蓋３２側の面には、凹部４５が形成されている。一方、蓋３２の蓋受け３３側の面には、凹部が形成されていない。このため、凹部４５自体がケース３１の内部空間４６となっている。この内部空間４６に、所望の写真、切手あるいは特定の情報をコード化した二次元コードを印刷したシートなどを挿入することができる。また、この内部空間４６に、二次元コードをデータとして記憶する情報記録媒体を入れることもできる。なお、蓋３２の蓋受け３３側の面のみに凹部を形成したり、蓋３２と蓋受け３３のそれぞれに凹部を形成して、内部空間４６を形成することもできる。
【００３８】
図６は、図５のＸ−Ｘ線で切った断面を示す図であり、輪状のひも３９を貫通孔内延出部４３にひっかけて蓋３２を開ける動作を示す図である。図６中の斜線の部分は、蓋受け３３の断面部分を示している。また、図７は、図６に示す状態を、図６の左方向からみた図である。ただし、図７では、貫通孔内延出部４３を隠す蓋受け３３の部分は省略されている。
【００３９】
蓋３２を開ける際には、輪状のひも３９を貫通孔内延出部４３と蓋受け３３との間に形成される隙間５０に入れて、矢印Ａの方向に引く。隙間５０の寸法ｔ１は、輪状のひも３９のひもの直径と同じかそれよりも大きい。例えば、輪状のひも３９のひもの直径が０．５ｍｍの場合には、隙間５０の寸法ｔ１は、０．５ｍｍ以上であるのが好ましい。ただし、隙間５０の寸法は、輪状のひも３９のひもの直径より小さくすることも可能である。輪状のひも３９を変形させて隙間５０に入れたり、あるいは隙間５０に接触させただけの状態でも、貫通孔内延出部４３を蓋３２の側に引くことは可能だからである。
【００４０】
なお、蓋３２と蓋受け３３とは、互いにかみ合うように係合しているので、貫通孔内延出部４３において、蓋３２と蓋３３とを固定する部分を備えていなくても良い。ただし、第１の実施の形態と同様に、貫通孔内延出部４３の裏側に蓋受け３３と係合する部分を設けるようにしても良い。
【００４１】
この実施の形態では、貫通孔内延出部４３の下端（先端）は、貫通孔４０の開放底面よりも寸法ｔ２だけ高い位置にある。このため、貫通孔４０の開放底面に指を置き、そのまま指で貫通孔内延出部４３を押しあげて蓋３２を開けることを困難としている。したがって、不用意に蓋３２を開けてしまう可能性が低くなる。この実施の形態では、寸法ｔ２を、０．８ミリ以上１．５ミリ以下の範囲の長さとしている。また、より好ましい寸法ｔ２は、１．０ミリ以上１．３ミリ以下の範囲の大きさである。当該範囲とする根拠は、第１の実施の形態にて説明した根拠と同様である。ただし、寸法ｔ２は、当該範囲の寸法以外であっても良い。
【００４２】
（第３の実施の形態）
図８は、本発明の第３の実施の形態にかかるケース６１を側面から見た側面図である。また、図９は、ケース６１の一部（Ａで示す部分）を拡大して示す拡大図である。
【００４３】
図８に示すように、このケース６１は、主として、蓋６２と、蓋受け６３とから構成されている。蓋６２の一端には、蓋６２から延出する蓋側半割り状延出部６４が形成されている。一方、蓋受け６３の一端にも、蓋６２と同様に、蓋受け６３から延出する蓋受け側半割り状延出部６５が形成されている。蓋側半割り状延出部６４と蓋受け側半割り状延出部６５とは、ケース６１を閉じた状態において、貫通孔の一形態であるリング６６を形成する。蓋側半割り状延出部６４の先端は、リング６６の外周縁に延出する延出部７０を有している。また、リング６６には、ひもの一形態である輪状のひも６９が取り付けられている。この輪状のひも６９は、蓋６２を開ける際に使用される。
【００４４】
蓋６２および蓋受け６３は、それぞれの内部の面に、凹部７４および凹部７５を有している。ケース６１を閉じると、凹部７４および凹部７５によって内部空間７６が形成される。この内部空間７６に、所望の写真、切手あるいは特定の情報をコード化した二次元コードを印刷したシートなどを挿入することができる。なお、この実施の形態では、蓋６２および蓋受け６３のそれぞれに凹部７４および凹部７５を備えているが、いずれか一方の凹部７４若しくは７５のみからなる内部空間７６を形成することもできる。
【００４５】
図９に示すように、蓋側半割り状延出部６４の裏側には、凹部６７が形成されている。また、蓋受け側半割り状延出部６５には、ケース６１を閉じた状態において凹部６７とはまる位置に、凸部６８が形成されている。ケース６１をしっかりと閉じた状態では、凸部６８が凹部６７にはめ込まれているので、蓋受け６３と蓋６２とを容易に開けることはできない。
【００４６】
ケース６１を閉じた状態で形成されるリング６６において、延出部７０と蓋受け側半割り状延出部６５の外表面との間に形成される隙間８０の寸法ｔ１は、輪状のひも６９をひかっけることができる大きさである。例えば、輪状のひも６９のひもの直径が０．５ｍｍの場合には、隙間８０の寸法ｔ１は、０．５ｍｍ以上とするのが好ましい。ただし、隙間８０の寸法は、輪状のひも６９のひもの直径より小さくすることも可能である。輪状のひも６９を変形させて隙間８０に入れたり、あるいは隙間８０に接触させただけの状態でも、延出部７０を蓋６２の側に引くことは可能だからである。
【００４７】
蓋６２を開ける場合には、輪状のひも６９を隙間８０に入れて、輪状のひも６９を引く。この結果、凹部６７と凸部６８との係合が解除されて、蓋６２を開けることができる。ただし、第１の実施の形態とは異なり、輪状のひも６９は、リング６６に取り付けられているため、ケース６１を開ける際に輪状のひも６９の固定はできない。したがって、輪状のひも６９の中間部分を強く握る一方で、蓋受け６３を十分支持して、隙間８０にひっかけた輪状のひも６９を強く引く必要がある。
【００４８】
なお、図８では、蓋６２と蓋受け６３とを連接している部分（第１の実施の形態における蓋受け後部延出部４、蓋受け後部延出部５およびピン６に相当する部分）は図示されていないが、ケース６１も、第１の実施の形態と同様の構成を備えている。
【００４９】
次に、各実施の形態に共通する輪状のひもの各種形態について説明する。
【００５０】
図１０は、ケース１に取り付けた輪状のひも９を改良したものを示す図である。
【００５１】
この輪状のひも９の略真ん中の位置には、支持部９０が固定されている。支持部９０は、輪状のひも９を覆うチューブ９１およびチューブ９２と、当該チューブ９１とチューブ９２とにまたがって付着される連接部９３と、から構成されている。また、輪状のひも９のケース１と反対側の端部には、ひもの一形態である小輪状のひも９４が取り付けられている。この小輪状のひも９４は、貫通孔内延出部１３にひっかける部分である。ただし、小輪状のひも９４を付けずに、輪状のひも９を貫通孔内延出部１３にひっかけるようにしても良い。
【００５２】
蓋２を開ける際には、支持部９０の連接部９３をつかんで、輪状のひも９を引っ張るので、輪状のひも９を直接つかんで引く場合と比較して、手を傷めることなく容易にかつ安全にケース１を開けることができる。
【００５３】
なお、図１０では、支持部９０をケース１の輪状のひも９に取り付けた例を示しているが、支持部９０を、第２の実施の形態のケース３１あるいは第３の実施の形態のケース６１に採用することも可能である。
【００５４】
図１１は、図１０に示す輪状のひも９と異なる別の形態の輪状のひも９を示す図である。
【００５５】
図１１に示す輪状のひも９の略真ん中の位置には、支持部９５が固定されている。支持部９５は、輪状のひも９を覆うチューブ９１およびチューブ９２と、当該チューブ９１とチューブ９２とにまたがって連接する連接部９３に加えて、連接部９３の両縁と固定される指挿入部９６とから構成されている。支持部９５は、指挿入部９６と連接部９３との間で固定されていない側から指を入れて、輪状のひも９を引くことができる構造を有している。
【００５６】
図１１では、指挿入部９６において、図１１の左右両縁が開放されている。このため、指をその開放されている側から入れることができる。ただし、図１１の上下両縁を開放しても良い。さらには、連接部９３と指挿入部９６とは、一端側だけを開放し、他の三方の縁を固定した袋状に形成されていても良い。
【００５７】
また、輪状のひも９のケース１と反対側の端部には、ひもの一形態である小輪状のひも９４が取り付けられている。この小輪状のひも９４は、貫通孔内延出部１３にひっかける部分である。ただし、小輪状のひも９４を付けずに、輪状のひも９を貫通孔内延出部１３にひっかけるようにしても良い。なお、支持部９５を、第２の実施の形態のケース３１あるいは第３の実施の形態のケース６１に採用することも可能である。
【００５８】
図１２は、図１０に示す輪状のひも９の形態を少し変形した別の形態の輪状のひも９を示す図である。
【００５９】
図１０に示す輪状のひも９と図１２に示す輪状のひも９とを比較すると明らかなように、後者は、小輪状のひも９４が連接部９３に固定されている点のみで前者と異なっている。ケース１を開ける際には、小輪状のひも９４を貫通孔内延出部１３にひっかけて、小輪状のひも９４を固定した支持部９７をつかんで引く。このように、小輪状のひも９４は、輪状のひも９に固定されていなくても、貫通孔内延出部１３に届く位置に配置されていれば、どこに固定されていても良い。なお、支持部９７を、第２の実施の形態のケース３１あるいは第３の実施の形態のケース６１に採用することも可能である。
【００６０】
図１３は、図１０から図１２に示す各輪状のひも９と異なる別の形態の輪状のひも９を示す図である。
【００６１】
この輪状のひも９は、棒状の部材であるロッド１００を介して、大輪状のひも１０１と連接されている。輪状のひも９は、閉じた輪からなる大輪状のひも１０１まで含めて輪の形状となっている。大輪状のひも１０１は、ケース１の貫通孔内延出部１３にひっかけるためのひもである。
【００６２】
ロッド１００は、ロッド本体１０２と、ロッド本体のやや前方に配置される突出部１０３とから構成されている。突出部１０３は、図１３では紙面表面の方向に突出した形状を有している。突出部１０３は、摩擦係数が大きな材料、たとえば、ゴム等の材料でつくられている。
【００６３】
図１４は、図１３に示される突出部１０３の近傍を拡大して示す図である。
【００６４】
図１４に示すように、突出部１０３は、第１の傾斜面１０４と第２の傾斜面１０５とから構成されており、第１の傾斜面１０４と第２の傾斜面１０５との境界を峰とする山の形を有している。突出部１０３において、第１の傾斜面１０４は大輪状のひも１０１の側に、第２の傾斜面１０５はケース１側に、それぞれ形成されている。
【００６５】
図１５は、ケース１を開ける際のロッド１００の使用方法を説明するための図である。図１６は、突出部１０３と蓋受け３との接触部分を拡大して示す図である。
【００６６】
ケース１を開ける際には、まず、大輪状のひも１０１を貫通孔内延出部１３にひっかける。次に、蓋後部延出部４から蓋受け３まで大輪状のひも１０１をまわして、蓋受け３の表面に突出部１０３をのせる。蓋受け３は、図１６に示すように、平面部１０６を備えているので、突出部１０３の第１の傾斜面１０４をこの平面部１０６にのせ、かつ大輪状のひも９を張った状態となるように、突出部１０３の位置を決める。
【００６７】
突出部の位置が決まると、ロッド本体１０２の輪状のひも９の側の端部を、Ｐで示す位置を支点として矢印Ａの方向に回動させる。すると、てこの原理によって、貫通孔内延出部１３が矢印Ｂの方向に移動し、ケース１を簡単に開けることができる。
【００６８】
図１７は、図１３に示すロッド１００を有するケース１の別の形態を示す図である。
【００６９】
このケース１の蓋受け３の平面部１０６近傍には、２本の突起１１０が設けられている。突起１１０は、図１７の紙面に対して表裏方向に２本配置されている。突起１１０は、ロッド本体１０２の紙面表裏方向の幅よりも短い間隔で配置されている。このため、ロッド本体１０２は、２本の突起１１０の間をすり抜けることができない。ただし、ロッド本体１０２に取り付けられている大輪状のひも１０１を２本の突起１１０の間を通すことはできる。また、各突起１１０の先端１１１は、平面部１０６の側にわずかに曲がっている
【００７０】
このような形状の突起１１０を上記位置に配置することにより、ロッド本体１０２の固定をより確実にすることができる。すなわち、ロッド本体１０２を図１６に示すＰを支点として回動させた際に、突出部１０３が図１６の左方向にずれることを防止することができる。かかる意味で、突起１１０は、ロッド本体１０２のストッパとしての機能を持つ。また、先端１１１が平面部１０６の側に曲がっているので、ロッド本体１０２の図１７の左方向端部が時計回りに回動しやすい。
【００７１】
以上、本発明の実施の形態について説明したが、本発明は、上述の各実施の形態に限定されることなく、種々変形を施した形態にて実施することが可能である。
【００７２】
例えば、貫通孔内延出部１３，４３は、リング１０または貫通孔４０の内周縁に延出していれば、内周縁のどの位置に延出していても良い。すなわち、ケース１，３１の内部側の内周縁ではなく、ケース１，３１の外側の内周縁でも良い。
【００７３】
また、リング６６を構成する蓋側半割り状延出部６４と蓋受け側半割り状延出部６５とは、ちょうど半分の形状でなくても良い。蓋側半割り状延出部６４または蓋受け側半割り状延出部６５のいずれか一方を他方より大きくしても良い。
【００７４】
支持部９０，９５，９７は、皮、紙、合成樹脂、天然樹脂、金属等のいずれの素材で形成されていても良い。また、支持部９０，９５，９７は、ひもの片側に付けられていても良い。
【００７５】
突出部１０３は、半球形状の部材でも良い。また、突出部１０３の第２の傾斜面１０５を曲面に構成するようにしても良い。
【産業上の利用可能性】
【００７６】
本発明は、バッグ、携帯電話等に取り付け可能なアクセサリーとして利用することができる。
【図面の簡単な説明】
【００７７】
【図１】本発明の第１の実施の形態にかかるケースの概観図である。
【図２】図１のケースを側面から見た側面図である。
【図３】図１に示す貫通孔内延出部の近傍の側面拡大図である。
【図４】本発明の第２の実施の形態にかかるケースの概観図である。
【図５】図４のケースの一端を上から拡大して示す平面拡大図である。
【図６】図５のＸ−Ｘ線で切った断面を示す図であり、輪状のひもを貫通孔内延出部にひっかけて蓋を開ける動作を示す図である。
【図７】図６に示す状態を、図６の左方向からみた図である。
【図８】本発明の第３の実施の形態にかかるケースを側面から見た側面図である。
【図９】図８のケースの一部（Ａで示す部分）を拡大して示す拡大図である。
【図１０】図１のケースに取り付けた輪状のひもを改良したものを示す図である。
【図１１】図１０に示す輪状のひもと異なる別の形態の輪状のひもを示す図である。
【図１２】図１０に示す輪状のひもの形態を少し変形した別の形態の輪状のひもを示す図である。
【図１３】図１０から図１２に示す各輪状のひもと異なる別の形態の輪状のひもを示す図である。
【図１４】図１３に示される突出部の近傍を拡大して示す図である。
【図１５】図１３の輪状のひもを使用する場合において、ケースを開ける際のロッドの使用方法を説明するための図である。
【図１６】図１５における突出部と蓋受けとの接触部分を拡大して示す図である。
【図１７】図１３に示すロッドを有するケースの別の形態を示す図である。
【符号の説明】
【００７８】
１  ケース
２  蓋
３  蓋受け
８  貫通孔
９  輪状のひも（ひも）
１０  リング（貫通孔）
１３  貫通孔内延出部（延出部）
１６  内部空間
２０  隙間
３１  ケース
３２  蓋
３３  蓋受け
３４  貫通孔
３９  輪状のひも（ひも）
４０  貫通孔
４３  貫通孔内延出部（延出部）
４６  内部空間
５０  隙間
６１  ケース
６２  蓋
６３  蓋受け
６４  蓋側半割り状延出部
６５  蓋受け側半割り状延出部
６６  リング（貫通孔）
６９  輪状のひも（ひも）
７０  延出部
８０  隙間
９０  支持部
９４  小輪状のひも（ひも）
９５  支持部
９６  指挿入部
９７  支持部
１００  ロッド
１０１  大輪状のひも（ひも）
１０３  突出部
【図１】
2005239176.tif 000003
【図２】
2005239176.tif 000004
【図３】
2005239176.tif 000005
【図４】
2005239176.tif 000006
【図５】
2005239176.tif 000007
【図６】
2005239176.tif 000008
【図７】
2005239176.tif 000009
【図８】
2005239176.tif 000010
【図９】
2005239176.tif 000011
【図１０】
2005239176.tif 000012
【図１１】
2005239176.tif 000013
【図１２】
2005239176.tif 000014
【図１３】
2005239176.tif 000015
【図１４】
2005239176.tif 000016
【図１５】
2005239176.tif 000017
【図１６】
2005239176.tif 000018
【図１７】
2005239176.tif 000019